(57)【要約】【課題】  住居内の各部屋間等で呼び出しに使用するものであって応答確認機能を備えた無線式呼出システムを提供する。【解決手段】  親機１の選択部１ａにより呼出形態（例えば呼出Ａ）が選択され、次いで親機送信ボタン１ｂが操作される。この親機送信ボタン１ｂが操作されたときには親機送信部１ｃは第１の送信信号Ｗｓを子機２の子機受信部２ａへ送信するとともに親機表示部１ｅの呼出Ａを点灯させる。子機受信部２ａは第１の送信信号Ｗｓを受信し、子機報知部２ｃにおいて音、表示または振動により報知させる。この報知に対し子機応答ボタン２ｄが操作されたときには子機送信部２ｅは第２の送信信号Ｗｔを親機受信部１ｇへ送信する。この信号Ｗｔを受信した親機受信部１ｇは親機送信部１ｃの送信を停止させるとともに親機表示部１ｅの表示を消灯させ、受信用親機音発生部１ｉより所定の音を発生させる。【選択図】図１
2008187696.tif 000002
【特許請求の範囲】
【請求項１】
親機送信ボタンが操作されたときに第１の送信信号を送信する親機送信部と、前記親機送信部の送信時に表示する親機表示部または音を発生する送信用親機音発生部と、第２の送信信号を受信したときには前記親機送信部の送信を停止させるとともに前記親機表示部の表示または前記送信用親機音発生部の音発生を停止させる親機受信部とを備えた親機と、
前記親機送信部からの第１の送信信号を受信する子機受信部と、前記子機受信部で受信した信号に基づき音、表示または振動で報知する子機報知部と、前記子機報知部による報知に対し子機応答ボタンが操作されたときには第２の送信信号を前記親機受信部へ送信する子機送信部とを備えた子機とで構成した無線式呼出システム。
【請求項２】
親機送信部による第１の送信信号の送信を停止させるとともに親機表示部の表示または送信用親機音発生部の音発生を停止させるリセットボタンを親機に設けたことを特徴とする請求項１記載の無線式呼出システム。
【請求項３】
親機に受信用親機音発生部を設け、親機受信部が第２の送信信号を受信したときには該親機受信部は前記受信用親機音発生部より音を発生させることを特徴とする請求項１または請求項２記載の無線式呼出システム。
【発明の詳細な説明】
【技術分野】
【０００１】  本発明は、住居内の各部屋間等で呼び出しに使用するものであって応答確認機能を備えた無線式呼出システムに関するものである。
【背景技術】
【０００２】  住居内の各部屋間で呼び出しに使用する従来の呼出システムとして例えば以下のインターホン装置がある。
このインターホン装置は、住居内の各部屋に１台ずつ設置され、相互に選局・呼出・通話ができる複数の親機からなるインターホン装置であって、各親機には、それぞれの親機に内蔵または外部接続した人体検知センサと、発呼側親機より被呼側親機を選局する場合に被呼側親機の人体検知センサによりその部屋が家人不在であることが検知されたとき被呼側親機が発呼側親機に対して不在の旨を通知する人体検出回路と、被呼側親機の人体検出回路の検出出力により発呼側親機において被呼側部屋内の不在を視覚的な表示で通知する不在表示灯とを備えている（例えば特許文献１参照）。【０００３】
【特許文献１】特開２００２−２９０５９４号公報
【発明の開示】
【発明が解決しようとする課題】
【０００４】  従来の呼出システムとしてのインターホン装置は前記説明のように構成され、各部屋相互間での呼び出しおよび通話を可能とし、また、被呼側の部屋が不在の場合にはその旨を発呼側に視覚的に通知し、発呼側の長時間に亘る呼び出しを回避するようにしている。
このように、前記インターホン装置は呼出システムとして充分な機能を備えたものといえる。
しかし、呼び出しの目的によっては前記特許文献１のインターホン装置のような充分な機能を必要としない場合もある。
例えば、朝、居間にいる母親が子供部屋で就寝中の子供に対し起床を知らせる場合、または、夕食時に居間にいる母親が別の部屋にいる家族に対し食事の準備が出来た旨の呼び出し（合図）を行う場合などにおいては、子供または家族と通話する必要はなく、前者の場合については例えば起床ブザーのような聴覚的手段で起床を知らせ、後者の場合については起床ブザーとは異なる鳴動による聴覚的手段、さらには表示による視覚的手段で呼び出せば充分と思われる。【０００５】  また、家族構成が４〜５人で、部屋数も４〜５部屋ほどの住居においては家人が自己の部屋にいるかまたは不在かについては事前に認識されている場合が多く、前記特許文献１のインターホン装置のように、被呼側の部屋が不在の場合にその旨を発呼側に通知するといった機能は必ずしも必要ないもの思われる。
上述のように、呼び出しの目的によっては、充分な機能を備えた前記特許文献１のインターホン装置とは別の簡易な構成の呼出システムで充分と思われ、この簡易な構成の呼出システムが実現できれば低廉化も可能となり好都合である。
また、前記特許文献１のインターホン装置においては、各部屋に１台ずつ設置された複数の親機相互間は有線接続しており、このため、これら接続のため等の設置工事が必要という難点がある。
一方、上記例の呼び出しにおいて、起床を知らされた側または食事の呼び出しを受けた側からの応答機能があれば呼び出した側がその呼び出しに対する確認が可能となる。【０００６】  本発明は上記課題を解決するためになされたものであり、通話および不在通知等の機能を備えることなく、ブザー等の鳴動または音声合成等による聴覚的手段および表示による視覚的手段、さらには振動による触覚的手段により呼び出す機能、さらにこの呼び出しに対する応答確認機能を有し、かつ、設置工事を要しない簡易な構成の無線式呼出システムを提供することを目的とする。
【課題を解決するための手段】
【０００７】  本発明は、親機送信ボタンが操作されたときに第１の送信信号を送信する親機送信部と、前記親機送信部の送信時に表示する親機表示部または音を発生する送信用親機音発生部と、第２の送信信号を受信したときには前記親機送信部の送信を停止させるとともに前記親機表示部の表示または前記送信用親機音発生部の音発生を停止させる親機受信部とを備えた親機と、前記親機送信部からの第１の送信信号を受信する子機受信部と、前記子機受信部で受信した信号に基づき音、表示または振動で報知する子機報知部と、前記子機報知部による報知に対し子機応答ボタンが操作されたときには第２の送信信号を前記親機受信部へ送信する子機送信部とを備えた子機とで構成した無線式呼出システムを提供するものである。
【発明の効果】
【０００８】  以上説明したように、本発明によれば、親機から呼び出しを受けた子機側が親機に対し応答可能な構成としたので、親機側は一方向的な呼び出しに終わることなくその呼び出しに対し確認をすることができる。
また、子機には表示による報知とともに振動による報知機能を設けているので、聴覚の不自由な人に対しても確実な呼び出しを行うことができる。
【発明を実施するための最良の形態】
【０００９】  以下、本発明の実施の一形態を説明する。
実施の形態１．
図１は本発明の実施の形態１における無線式呼出システムの構成を示すブロック図であり、呼び出しの形態を例えば４形態とした場合を示す。
図１において、１は呼び出す側（発呼側）の親機、２は呼び出される側（被呼側）の子機である。また、親機１は選択部１ａ、親機送信ボタン１ｂ（以下、「送信ボタン１ｂ」とする）、親機送信部１ｃ（以下、「送信部１ｃ」とする）、送信アンテナ１ｄ、親機表示部１ｅ（以下、「表示部１ｅ」とする）、リセットボタン１ｆ、親機受信部１ｇ（以下、「受信部１ｇ」とする）、受信アンテナ１ｈおよび受信用親機音発生部１ｉ（以下、「音発生部１ｉ」とする）とを備え、子機２は子機受信部２ａ（以下、「受信部２ａ」とする）、受信アンテナ２ｂ、子機報知部２ｃ（以下、「報知部２ｃ」とする）、子機応答ボタン２ｄ（以下、「応答ボタン２ｄ」とする）、子機送信部２ｅ（以下、「送信部２ｅ」とする）および送信アンテナ２ｆとを備えている。上記中の親機１の選択部１ａとリセットボタン１ｆ、および子機２の応答ボタン２ｄは操作者が操作するものである。【００１０】  また、親機１において、選択部１ａは呼出Ａボタン、呼出Ｂボタン、呼出Ｃボタンおよび呼出Ｄボタンを有し、子機２における呼出音（ブザー等の鳴動音等）または呼出音声（音声合成）が互いに異なる４形態の呼び出しを可能にしている。これら４形態の呼び出しの中からの選択を明確にするためのものが表示部１ｅであり、表示Ａは呼出Ａを選択したときに点灯し、以下、表示Ｂは呼出Ｂを選択したとき、表示Ｃは呼出Ｃを選択したとき、表示Ｄは呼出Ｄを選択したときにそれぞれ点灯する。
また、子機２の報知部２ｃは表示部２ｃ１、音発生部２ｃ２、または振動部２ｃ３を備え、さらに表示部２ｃ１は表示ａ、表示ｂ、表示ｃおよび表示ｄの４形態で表示し、音発生部２ｃ２は音ａ、音ｂ、音ｃおよび音ｄの４形態の呼出音または呼出音声（音声合成）で音発生する。これらのうち表示部２ｃ１の表示ａおよび音発生部２ｃ２の音ａは親機１において呼出Ａが選択されたときに点灯および音発生し、以下、表示ｂおよび音ｂは呼出Ｂが選択されたとき、表示ｃおよび音ｃは呼出Ｃが選択されたとき、表示ｄおよび音ｄは呼出Ｄが選択されたときにそれぞれ点灯および音発生する。振動部２ｃ３については呼出Ａ，Ｂ，Ｃ，Ｄの全てに対応して振動するようにしてもよく、またはこれら呼出のうちの特定の呼出に対応して振動するようにしてもよい。この振動部２ｃ３はバイブレータ等のように振動により報知するものであり、有線式又は無線式（携帯式）のいずれでもよい。【００１１】  また、親機１から子機２を呼び出す４形態の呼び出し目的として例えば、（イ）子供等を起床させるための呼び出し、（ロ）食事のための呼び出し、（ハ）親機を設置している部屋（例えば居間等）へ来させるための呼び出し、（ニ）家族で予め定めた約束ごとに従った呼び出しとし、これら４形態中の（イ）は例えば呼出Ａに割り当て、以下、（ロ）は呼出Ｂ、（ハ）は呼出Ｃ、（ニ）は呼出Ｄにそれぞれ割り当てる。これら割り当てに従い、親機１の表示部１ｅの表示Ａ〜表示Ｄおよび子機２の表示部２ｃ１の表示ａ〜表示ｄには上記（イ）〜（ニ）の呼び出し目的を表す文字を予め記しておく。例えば表示Ａおよび表示ａには「起床」、表示Ｂおよび表示ｂには「食事」、表示Ｃおよび表示ｃには「居間へ」、表示Ｄおよび表示ｄには「その他」等の文字を予め記しておく。これら文字部分を選択部１ａの選択指定に対応して点灯させる。【００１２】  次に、図１の動作について説明する。
親機１の選択部１ａにおいて、例えば「起床」を呼び出し目的とする呼出Ａが選択された場合、この呼出Ａの選択後に送信ボタン１ｂが操作される。この送信ボタン１ｂが操作された場合、送信部１ｃは第１の送信信号Ｗｓを送信アンテナ１ｄより送信する一方、表示部１ｅの表示Ａ（起床）を点灯させる。この第１の送信信号Ｗｓの送信および表示部１ｅの表示Ａの点灯は親機１が子機２からの応答信号（第２の送信信号Ｗｔ）を受信するまで継続される。また、第１の送信信号Ｗｓの信号内容は選択部１ａによる呼び出し目的と対応させて異なる信号にする。具体的には例えば変調信号を呼び出し目的により変える。なお、第１の送信信号Ｗｓの変調方式はＡＭ（振幅変調）またはＦＭ（周波数変調）等任意であり、予めその方式を設定しておく。
上記第１の送信信号Ｗｓの送信開始後、何らかの事情により子機２からの応答が長時間なかった場合、または、親機１の選択部１ａによる呼び出し目的の選択を間違えた場合等にはリセットボタン１ｆを操作する。このリセットボタン１ｆが操作されたときには送信部１ｃによる第１の送信信号Ｗｓの送信および表示部１ｅの表示Ａの点灯は停止（消灯）し、親機１はリセットされて初期状態に戻る。従って、再送信するためには送信ボタン１ｂの再操作を要する。【００１３】  親機１の送信アンテナ１ｅから送信された第１の送信信号Ｗｓは子機２の受信部２ａの受信アンテナ２ｂにより受信される。受信部２ａは受信した第１の送信信号Ｗｓについて復調処理する。
この復調により得られた信号（復調信号）は前述のように呼び出し目的と対応した信号である。従って、第１の送信信号Ｗｓの信号内容が前記仮定した呼出Ａ（起床）であれば、受信部２ａにより復調された信号は呼出Ａ（起床）を表す信号である。この呼出Ａを表す信号は報知部２ｃへ送出され、呼出Ａに対応する表示部２ｃ１の表示ａが表示し、且つ、音発生部２ｃ２の音ａが発生する。また、振動部２ｃ３が呼出Ａに対応して振動するように設定されている場合には振動する。なお、この振動部２ｃ３が無線式（携帯式）のバイブレータ（図示せず）で構成されている場合、報知部２ｃへ送出された前記呼出Ａを表す信号をもとに振動部２ｃ３を構成する発信部（図示せず）より携帯式バイブレータに対し信号送信し、携帯式バイブレータを振動させる。【００１４】  前記報知部２ｃによる表示、音発生または振動を認識した被呼側である子機２の操作者は子機２の応答ボタン２ｄを操作する。この応答ボタン２ｄが操作されると、子機２の送信部２ｅは第２の送信信号Ｗｔを送信アンテナ２ｆより送信する。この第２の送信信号Ｗｔは応答を目的とした信号であるのでその信号内容は第１の送信信号Ｗｓのように複数種類に区別する必要はなく、単一の信号でよい。即ち、第２の送信信号Ｗｔの送信を示せればよく、従って、第２の送信信号Ｗｔは無変調波または変調波のいずれでもよく、また、後者の変調波とした場合にもその変調方式はＡＭ（振幅変調）またはＦＭ（周波数変調）など任意であり、単一の変調信号を含め予め送受信方式を設定しておく。
子機２の送信アンテナ２ｆから送信された第２の送信信号Ｗｔは親機１の受信部１ｇの受信アンテナ１ｈにより受信される。【００１５】  この第２の送信信号Ｗｔが本無線式呼出システムの送受信方式として無変調波に予め設定されている場合には、受信部１ｇは搬送波の受信により子機２からの応答信号の受信を検知する。これに対し、本無線式呼出システムの送受信方式が単一の変調信号による変調方式に予め設定されている場合には、受信部１ｇは第２の送信信号Ｗｔについて復調処理し、この処理で得られた復調信号により子機２からの応答信号の受信を検知する。
上記のように応答信号の受信を検知した受信部１ｇは音発生部１ｉを作動させ、音発生部１ｉより所定の音（鳴動音等）を発生させる一方、送信部１ｃによる第１の送信信号Ｗｓの送信および表示部１ｅの表示Ａの点灯を停止（消灯）させる。この音発生部１ｉによる音発生および表示部１ｅの表示Ａの消灯により発呼側である親機１の操作者は子機２への呼び出しに対する応答の確認を得たことになる。この応答確認により第１の送信信号Ｗｓの送信は不要となるので送信を停止する。また、第１の送信信号Ｗｓの送信停止により、子機２の報知部２ｃによる表示、音発生または振動も停止する。【００１６】  以上は「起床」を呼び出し目的とする呼出Ａを選択した場合であるが、その他の呼出Ｂ、呼出Ｃまたは呼出Ｄを選択した場合についても同様に動作する。これら各選択における基本動作は前記呼出Ａの場合と同様のため説明は省略する。
なお、親機１の表示部１ｅに替え、または表示部１ｅとともに送信用親機音発生部１ｊを設け、選択部１ａによる呼出Ａから呼出Ｄの選択と対応させた呼出音または呼出音声（音声合成）等の音Ａ、音Ｂ、音Ｃまたは音Ｄを発生させる構成としてもよい。この送信用親機音発生部１ｊによる音発生は表示部１ｅと同様に親機１が子機２からの応答信号を受信するまで継続され、また、リセットボタン１ｆが操作されたときにはこの音発生を停止する。この送信用親機音発生部１ｊを設ける場合、音発生部１ｉ（受信用）を省略した構成としてもよい。
また、以上の説明では親機１は呼び出す側（発呼側）とし、子機２は呼び出される側（被呼側）としたが、子機２の応答ボタン２ｄを操作することにより親機１を呼び出すことができる。ただし、この呼び出しに対する親機１からの子機２に対する応答機能は設けていない。この呼び出しの動作は前述の親機１からの呼び出しに対する子機２の応答動作と同様であり、その説明は省略する。【００１７】  以上のように、この実施の形態１によれば、親機１から呼び出しを受けた子機２側が親機１に対し応答可能な構成としたので、親機１側は一方向的な呼び出しに終わることなくその呼び出しに対し確認をすることができる。
また、親機１からの呼び出し送信は子機２側からの応答操作に基づく応答信号を受信するまで継続され、この応答信号を受信したときに送信を自動的に停止し、この送信停止時には送信中を表していた表示または音発生を停止し、また、応答信号の受信を表す音を発生する構成としたので、この送信継続の構成を子機２側の目覚まし機能等として利用することができ、また、この目覚まし機能が達成されたことを親機１側が前記送信表示の停止（消灯）または音発生等により確認することができる。【００１８】  また、子機２には表示による報知とともに振動による報知機能を設けているので、聴覚の不自由な人に対しても確実な呼び出しを行うことができる。
また、親機１には子機２への呼び出し送信を停止し初期状態に戻すリセットボタンを設けているので、親機１の操作者が子機２への呼び出し目的を間違えた場合等には呼び出しを再設定でき、または、子機２側からの応答が何らかの理由により長い時間得られなかった場合にはその呼び出しを中止することができる。
また、親機１から子機２に対する呼出音（ブザー等の鳴動音等）または呼出音声（音声合成）が互いに異なる複数形態（本実施例では呼出Ａ〜呼出Ｂの４形態）の呼び出しを可能に構成しているので、本呼出システムを多目的の呼び出しに使用することができる。【００１９】実施の形態２．
図２は本発明の実施の形態２における無線式呼出システムの構成を示すブロック図である。
前記実施の形態１においては、親機１からの呼び出しに対する子機２の応答の仕方の形態が１形態であったが、この実施の形態２は親機１１からの呼び出しに対する子機１２の応答の仕方の形態を２形態にしたものである。
図２において、１１は呼び出す側（発呼側）の親機、１２は呼び出される側（被呼側）の子機である。この図２の構成が図１と相違している点は上記のように子機１２からの応答の形態を２形態にしている点であり、子機１２に第１の応答ボタン１２ｄおよび第２の応答ボタン１２ｅの２系統の応答ボタンを設ける一方、親機１１側に第１の応答ボタン１２ｄに対応する第１の受信用親機音発生部１１ｉ（以下、「第１の音発生部１１ｉ」とする）および第２の応答ボタン１２ｅに対応する第２の受信用親機音発生部１１ｊ（以下、「第２の音発生部１１ｊ」とする）を設けている点である。【００２０】  上記相違点以外のもの、即ち、図２の親機１１の選択部１１ａ、送信ボタン１１ｂ、送信部１１ｃ、送信アンテナ１１ｄ、表示部１１ｅ、リセットボタン１１ｆ、受信部１１ｇ、受信アンテナ１１ｈおよび送信用親機音発生部１１ｋのそれぞれは同一名称である図１の親機１の選択部１ａ、送信ボタン１ｂ、送信部１ｃ、送信アンテナ１ｄ、表示部１ｅ、リセットボタン１ｆ、受信部１ｇ、受信アンテナ１ｈおよび送信用親機音発生部１ｊのそれぞれと同一機能であり、また、図２の子機１２の受信部１２ａ、受信アンテナ１２ｂ、報知部１２ｃ、送信部１２ｆおよび送信アンテナ１２ｇのそれぞれは同一名称である図１の子機２の受信部２ａ、受信アンテナ２ｂ、報知部２ｃ、送信部２ｅおよび送信アンテナ２ｆのそれぞれと同一機能である。従って、図２中の親機１１の選択部１１ａ、表示部１１ｅおよび送信用親機音発生部１１ｋ、子機１２の報知部１２ｃを形成する表示部１２ｃ１および音発生部１２ｃ２等の内部構成図は省略してある。【００２１】  上述のように、親機１１からの呼び出しに対する子機１２の応答の形態を２形態に分けた理由は以下の通りである。
前記実施の形態１で説明した例示に従い例えば、図２の親機１１において選択部１１ａで呼出Ｂ（食事のための呼び出し）を選択した場合、この呼び出しに対する子機１２側の応答としては「すぐ行く」の他に「少々の時間経過後に行く」の２通りの応答形態が考えられる。これに対し、呼出Ａ（起床目的の呼び出し）を選択した場合には応答形態を２通りに分ける必要はなく、単に「了解」を示す応答だけでよい。従って、呼出Ａから呼出Ｄの全てに対し、「すぐ行くまたは了解」と「少々の時間経過後に行く」の２通りの応答形態を設けておけばよく、この応答の形態を選択できれば呼び出す側および呼び出される側の双方にとって便利である。この実施の形態２はこの要求に対処したものである。
ここで、子機１２の第１の応答ボタン１２ｄを「すぐ行くまたは了解」の応答用とし、第２の応答ボタン１２ｅを「少々の時間経過後に行く」の応答用とし、第１の応答ボタン１２ｄに対応する親機１１の第１の音発生部１１ｉが発する音と第２の応答ボタン１２ｅに対応する第２の音発生部１１ｊが発する音とは異なる音にしておく。これら応答の形態を容易に使い分けるため、各応答ボタン１２ｄ，１２ｅそれぞれには応答の形態を明示する文字等を付しておけばよい。【００２２】  次に、親機１１からの呼び出しに対する子機１２の応答以後の動作について説明する。
親機１１から第１の送信信号Ｗｓによる呼び出しの送信が行われた場合、子機１２においては受信部１２ａからの復調信号に基づき報知部１２ｃの表示部１２ｃ１および音発生部１２ｃ２において呼び出し目的に対応した表示および音発生により報知する。この報知が「食事」を呼び出し目的とした呼出Ｂとした場合、操作者は第１の応答ボタン１２ｄまたは第２の応答ボタン１２ｅのいずれかを操作する。
上記操作が第１の応答ボタン１２ｄとした場合、送信部１２ｆはこの操作に基づき、第１の応答ボタン１２ｄと予め対応させた所定の変調信号および変調方式で処理した第２の送信信号Ｗｔを親機１１へ送信する。
親機１１の受信部１１ｇは上記第２の送信信号Ｗｔを受信し、第１の応答ボタン１２ｄの操作を表す所定の信号を復調する。受信部１１ｇは復調した信号に基づき第１の応答ボタン１２ｄに対応する第１の音発生部１１ｉより所定の音を発生させる。【００２３】  上記に対し、子機１２側の操作者が第２の応答ボタン１２ｅを操作した場合、送信部１２ｆはこの操作に基づき、第２の応答ボタン１２ｅと予め対応させた所定の変調信号および変調方式で処理した第２の送信信号Ｗｔを親機１１へ送信する。
親機１１の受信部１１ｇは上記第２の送信信号Ｗｔを受信し、第２の応答ボタン１２ｅの操作を表す所定の信号を復調する。受信部１１ｇは復調した信号に基づき第２の応答ボタン１２ｅに対応する第２の音発生部１１ｊより所定の音を発生させる。この第２の音発生部１１ｊの発生音は前述のように第１の音発生部１１ｉの発生音とは異なる音である。
この発生音の相違により親機１１側の操作者は呼出Ｂに対する子機１２側の操作者の対応を確認することができる。
上記例の呼出Ｂ以外の呼出Ｃ（居間へ）または呼出Ｄ（その他）についてもこの呼出Ｂと同様の動作となる。なお、呼出Ａ（起床）については前記のように第１の応答ボタン１２ｄのみの操作が原則である。
上記以外の親機１１および子機１２に関する動作については実施の形態１（図１）の動作と同様のため説明は省略する。【００２４】  以上のように、この実施の形態２によれば、親機１１からの呼び出しに対する子機１２の応答の仕方の形態を２形態に分けた構成としているので、呼び出しを受けた子機１２側は子機側の意向に即した応答を親機１１側へすることができ、また、親機側１１側も発生音により応答内容を確認することができる。これにより、呼出システムとしての機能を向上することができる。
【図面の簡単な説明】
【００２５】
【図１】  本発明の実施の形態１における無線式呼出システムの構成を示すブロック図である。
【図２】  本発明の実施の形態２における無線式呼出システムの構成を示すブロック図である。
【符号の説明】
【００２６】  １  親機、１ａ  選択部、１ｂ  親機送信ボタン、１ｃ  親機送信部、１ｄ  送信アンテナ、１ｅ  親機表示部、１ｆ  リセットボタン、１ｇ  親機受信部、１ｈ  受信アンテナ、１ｉ  受信用親機音発生部、１ｊ  送信用親機音発生部、２  子機、２ａ  子機受信部、２ｂ  受信アンテナ、２ｃ  子機報知部、２ｃ１  表示部、２ｃ２  音発生部、２ｄ  子機応答ボタン、２ｅ  子機送信部、２ｆ  送信アンテナ、１１  親機、１１ｉ  第１の受信用親機音発生部、１１ｊ  第２の受信用親機音発生部、１２  子機、１２ｄ  第１の応答ボタン、１２ｅ  第２の応答ボタン。
【図１】
2008187696.tif 000003
【図２】
2008187696.tif 000004